(57)【要約】【課題】ファイルを閉じたときに剛性があって安定して自立することが可能であり、使い勝手が良く、綴じ込んだ書類等を見ることが容易であり、低コストで製造しやすく、品質が良いファイル用表紙および該ファイル用表紙を使用したファイルを提供する。【解決手段】一対の表紙と、両表紙の一側縁同士をつなぐ背表紙と、各表紙において前記一側縁とは逆の側縁から折り曲げ自在に延出している折曲片と、各折曲片において折曲片における表紙内面側の付け根から折り曲げ自在に延出している閉じ片とを備えており、各折曲片は、ヒンジ部を介して表紙と繋がっている表紙外面側折曲片部と、該表紙外面側折曲片部の表紙内面側に貼り合わされている表紙内面側折曲片部とからなり、該表紙内面側折曲片部がヒンジ部を介して閉じ片と繋がっており、前記各閉じ片は、その幅が前記背表紙の幅と略同等であり、前記閉じ片の一方は係止部オスを有しており、他方の閉じ片は係止部メスを有している、ファイル用表紙。【選択図】図１
2012076406.tif 000002
【特許請求の範囲】
【請求項１】
一対の表紙と、両表紙の一側縁同士をつなぐ背表紙と、各表紙において前記一側縁とは逆の側縁から折り曲げ自在に延出している折曲片と、各折曲片において折曲片における表紙内面側の付け根から折り曲げ自在に延出している閉じ片とを備えており、
背表紙は、ヒンジ部を介して一対の表紙の各表紙と繋がっており、
各折曲片は、その幅が5ｍｍ以上50ｍｍ以下であり、ヒンジ部を介して表紙と繋がっている表紙外面側折曲片部と、該表紙外面側折曲片部の表紙内面側に貼り合わされている表紙内面側折曲片部とからなり、該表紙内面側折曲片部がヒンジ部を介して閉じ片と繋がっており、
前記一対の表紙、前記背表紙、前記表紙外面側折曲片部、前記表紙内面側折曲片部および前記閉じ片は、厚さが0.5ｍｍ以上2.0ｍｍ以下である硬質プラスチック製もしくは硬質紙製であり、
前記各閉じ片は、その幅が前記背表紙の幅と略同等であり、前記閉じ片の一方は係止部オスを有しており、他方の閉じ片は係止部メスを有していることを特徴とする、ファイル用表紙。
【請求項２】
前記表紙外面側折曲片部における先端縁と、前記表紙内面側折曲片部における先端縁とが繋がっていて、
前記一対の表紙の各表紙、前記背表紙、前記表紙外面側折曲片部、前記表紙内面側折曲片部および前記閉じ片が、厚さが0.5ｍｍ以上2.0ｍｍ以下である一枚の硬質プラスチック板もしくは硬質紙から形成されていることを特徴とする、請求項１記載のファイル用表紙。
【請求項３】
前記ヒンジ部の全てが略Ｖ字状もしくは略Ｕ字状の切り込みによって形成されており、該切り込みの全てが、一枚の硬質プラスチック板もしくは硬質紙の一方の面に施されて形成されていることを特徴とする、請求項２記載のファイル用表紙。
【請求項４】
前記係止部オスが略く字状の切り込みであり、前記係止部メスが長穴であることを特徴とする、請求項１〜請求項３のいずれか１項記載のファイル用表紙
【請求項５】
係止部オスを有する閉じ片が該閉じ片の先端縁に、つまみ片を有していることを特徴とする、請求項４記載のファイル用表紙
【請求項６】
請求項１〜請求項５のいずれか１項記載のファイル用表紙の背表紙の内側面、または前記一対の表紙の各表紙の少なくとも一方の内面に、綴じ具を取り付けたことを特徴とする、ファイル。
【請求項７】
一対の表紙と、両表紙の一側縁同士をつなぐ背表紙と、各表紙において前記一側縁とは逆の側縁から折り曲げ自在に延出している閉じ片と、各閉じ片において閉じ片における表紙外面側の付け根から折り曲げ自在に延出している折曲片とを備えており、
背表紙は、ヒンジ部を介して一対の表紙の各表紙と繋がっており、
各閉じ片は、その幅が前記背表紙の幅と略同等であり、前記閉じ片の一方は係止部オスを有しており、他方の閉じ片は係止部メスを有しており、ヒンジ部を介して表紙と繋がっている表紙内面側閉じ片部と、該表紙内面側閉じ片部の表紙外面側に貼り合わされている表紙外面側閉じ片部とからなり、該表紙外面側閉じ片部がヒンジ部を介して折曲片と繋がっており、
各折曲片は、その幅が5ｍｍ以上50ｍｍ以下であり、
前記一対の表紙、前記背表紙、前記表紙内面側閉じ片部、前記表紙外面側閉じ片部および前記折曲片は、厚さが0.5ｍｍ以上2.0ｍｍ以下である硬質プラスチック製もしくは硬質紙製であることを特徴とする、ファイル用表紙。
【請求項８】
前記表紙内面側閉じ片部における先端縁と、前記表紙外面側閉じ片部における先端縁とが繋がっていて、
前記一対の表紙の各表紙、前記背表紙、前記表紙内面側閉じ片部、前記表紙外面側閉じ片部および前記折曲片が、厚さが0.5ｍｍ以上2.0ｍｍ以下である一枚の硬質プラスチック板もしくは硬質紙から形成されていることを特徴とする、請求項７記載のファイル用表紙。
【請求項９】
前記ヒンジ部の全てが略Ｖ字状もしくは略Ｕ字状の切り込みによって形成されており、該切り込みの全てが、一枚の硬質プラスチック板もしくは硬質紙の一方の面に施されて形成されていることを特徴とする、請求項８記載のファイル用表紙。
【請求項１０】
前記係止部オスが略く字状の切り込みであり、前記係止部メスが長穴であることを特徴とする、請求項７〜請求項９のいずれか１項記載のファイル用表紙
【請求項１１】
係止部オスを有する閉じ片が該閉じ片の先端縁に、つまみ片を有していることを特徴とする、請求項１０記載のファイル用表紙
【請求項１２】
請求項７〜請求項１１のいずれか１項記載のファイル用表紙の背表紙の内側面、または前記一対の表紙の各表紙の少なくとも一方の内面に、綴じ具を取り付けたことを特徴とする、ファイル。
【発明の詳細な説明】
【技術分野】
【０００１】
本発明は、書類、パンフレット、冊子、雑誌等を綴じ込むのに適したファイル用表紙およびファイルに関する。
【背景技術】
【０００２】
プラスチック製又は紙製のファイル用表紙は、一対の表紙と両表紙の一側縁同士をつなぐ背表紙からなることが一般的である。このような従来のファイル用表紙に綴じ具を取り付けたファイルでは、ファイル用表紙の材料が薄手の可撓性材料（薄手のプラスチックや紙）である場合、書類、パンフレットや雑誌等を綴じ込んでファイルを机上面や棚板面等で立てようとしても、ファイル用表紙が型崩れして倒れてしまい、自立することが困難である。また、このような従来のファイルを複数立てて棚等に収納する場合には、ブックエンドなどで、倒れることを防止するのが一般的である。しかし、ブックエンドなどで、倒れることを防止しても、一つのファイルを取り出すと、隙間ができ、複数のファイルが横倒れしてしまうという問題がある。
【０００３】
このようなファイルの横倒れを防止する目的で発明されたファイルとして、特許文献１や特許文献２のファイルが知られている。特許文献１には、左右一対の表紙を背板により開閉自在に一体形成してなるファイル本体と、係合ピンに係合ホックを係脱自在に嵌装してなる綴込み機構とを備えたファイルにおいて、上記各表紙の一側縁に、該表紙面に対して略直角をなす背表紙と、該背表紙に続いて表紙面に対して略平行をなすフラップとを揺動可能に一体形成し、該フラップに上記係合ホックを固定するとともに、上記表紙の係合ホックに臨む部分に上記係合ピンを固定したことを特徴とするファイルが記載されている。
【０００４】
特許文献２には、書類の綴じ具を備えた書類用ファイルの背表紙と反対側に、表紙と裏表紙およびファイルした書類の変形防止手段を有する書類用ファイルであって、該変形防止手段が裏表紙を延長して２カ所に折れ線を入れ、該裏表紙に対して直角に折れかつ背表紙とほぼ同じ幅の前マチと、該前マチに対してさらに直角に折れて表紙に重ね合わさる折込マチを形成し、ファイルの表紙と該折込マチとに着脱自在な係止手段を有することを特徴とする書類用ファイルが記載されている。
【０００５】
ファイルの自立を目的とした考案ではないが、特許文献３には、背紙の両側に表紙を連接してなる書類綴用ファイルであって、背紙に対向すると共にこの背紙と略同幅とした幅保持体を前記表紙の一方の側部に設けている書類綴用ファイルが記載されている。また特許文献３には、背紙の両側に表紙を連接してなる書類綴用ファイルであって、背紙に対向すると共にこの背紙の略半分の幅とした幅保持体を前記表紙のそれぞれの側部に設けている書類綴用ファイルが記載されている。
【０００６】
しかし、特許文献１〜３記載のいずれのファイルでも、背表紙の幅が小さい（例えば１ｃｍ〜２ｃｍなど）場合や表紙の厚みが薄い場合、横倒れしてしまうという問題がある。
特許文献１記載のファイルでは、左右一対の表紙の上縁のみにしか背表紙とフラップがなく、さらには、左右のフラップ同士を係止する手段が無いので、ファイルを閉じて立てたときのファイル全体の剛性が乏しく横倒れする恐れがあるという問題がある。また、特許文献２記載の書類用ファイルでは、前マチと折込マチとが一方の表紙に順に連接しており、該折込マチを他方の表紙に係止するので、背表紙と対向する前マチが一重であり、ファイルを閉じて立てたときのファイルの左右方向の剛性が乏しく横倒れする恐れがあるという問題がある。また、一方の表紙に前マチと折込マチが連接しているので、ファイルを開いたときに、その一方の表紙が長くなってしまい使い勝手が悪いという問題がある。
また、特許文献３記載の書類綴用ファイルでは、ファイルを開いて綴じ込み書類等を見るときに、幅保持体が非常に邪魔になり使い勝手が悪いという問題がある。
【先行技術文献】
【特許文献】
【０００７】
【特許文献１】登録実用新案第３０２０３１０号公報
【特許文献２】特開２００５−２１２３０７号公報
【特許文献３】実開平３−９８０８６号公報
【発明の概要】
【発明が解決しようとする課題】
【０００８】
本願発明は、上記問題点を解決するとともに、使い勝手が良く、低コストで製造しやすく、品質が良いファイル用表紙、および、該ファイル用表紙からなるファイルを開発すべく鋭意研究した結果なされたものである。その目的は、ファイルを閉じたときに剛性があって安定して自立することが可能であり、使い勝手が良く、綴じ込んだ書類等を見ることが容易であり、低コストで製造しやすく、品質が良いファイル用表紙、および、該ファイル用表紙からなるファイルを提供することにある。
【課題を解決するための手段】
【０００９】
以下の本願第１発明（請求項１〜請求項６に係る発明）のファイル用表紙、第３発明（請求項７〜請求項１１に係る発明）のファイル用表紙および本願第２発明（請求項６に係る発明）、第４発明のファイル（請求項１２に係る発明）により、上記目的を達成することができる。
【００１０】
本願第１発明のファイル用表紙は、「一対の表紙と、両表紙の一側縁同士をつなぐ背表紙と、各表紙において前記一側縁とは逆の側縁（反対側の側縁）から折り曲げ自在に延出している折曲片と、各折曲片において折曲片における表紙内面側の付け根から折り曲げ自在に延出している閉じ片とを備えており、背表紙は、ヒンジ部を介して一対の表紙の各表紙と繋がっており、各折曲片は、その幅が5ｍｍ以上50ｍｍ以下であり、ヒンジ部を介して表紙と繋がっている表紙外面側折曲片部と、該表紙外面側折曲片部の表紙内面側に貼り合わされている表紙内面側折曲片部とからなり、該表紙内面側折曲片部がヒンジ部を介して閉じ片と繋がっており、前記一対の表紙、前記背表紙、前記表紙外面側折曲片部、前記表紙内面側折曲片部および前記閉じ片は、厚さが0.5ｍｍ以上2.0ｍｍ以下である硬質プラスチック製もしくは硬質紙製であり、前記各閉じ片は、その幅が前記背表紙の幅と略同等であり、前記閉じ片の一方は係止部オスを有しており、他方の閉じ片は係止部メスを有していること」を最も主要な特徴とする。
本願第１発明のファイル用表紙において、折曲片における表紙内面側とは、折曲片を表紙に対して折り曲げていない状態、すなわち折曲片と表紙とが平面視略同一直線上にある状態（図４参照）で、折曲片における表紙内面側と同じ側を示す。また、本願第１発明のファイル用表紙において、表紙外面側折曲片部、表紙内面側折曲片部とは、それぞれ、折曲片を表紙に対して折り曲げていない状態、すなわち折曲片と表紙とが平面視略同一直線上にある状態（図４参照）で、表紙外面側と同じ側の折曲片の部位、表紙内面側と同じ側の折曲片の部位を示す。
【００１１】
本願第１発明のファイル用表紙において、背表紙は、その幅が8ｍｍ以上200ｍｍ以下であることが好ましく、10ｍｍ以上200ｍｍ以下がより好ましく、さらに10ｍｍ以上150ｍｍ以下がより好ましく、さらには10ｍｍ以上100ｍｍ以下がより好ましい。
本願第１発明のファイル用表紙において、各折曲片の幅（延出方向の長さ）は5ｍｍ以上50ｍｍ以下であり、5ｍｍ以上30ｍｍ以下が好ましく、7ｍｍ以上30ｍｍ以下がより好ましい。また、前記一対の表紙、前記背表紙、前記表紙外面側折曲片部、前記表紙内側面側折曲片部および前記閉じ片の厚さは、0.5ｍｍ以上2.0ｍｍ以下であり、0.5ｍｍ以上1.5ｍｍ以下が好ましく、0.7ｍｍ以上1.5ｍｍ以下がより好ましい。
本願第１発明のファイル用表紙において、係止部オスおよび係止部メスは、その係止手段が限定されるものではないが、フック、スナップボタン、面ファスナーが例示される。フックとしては、係止部オスが閉じ片自体に略く字状の切り込みを入れて形成されたものであり、係止部メスが閉じ片自体に形成された長穴であることが好ましい。
本願第１発明のファイル用表紙において、表紙外面側折曲片部と表紙内面側折曲片部との貼り合わせは、融着または接着によることが好ましい。
【００１２】
このような構成によると、一対の閉じ片同士が２重に重なって係止されるので、ファイル用表紙およびファイルは、分厚い書類等を綴じ込んだときでも、ファイルを閉じたときに剛性があって型崩れしにくく、さらには折曲片があるので、安定して自立することができる。また、本願第１発明のファイル用表紙およびファイルは、折曲片が折り曲げ自在であるので、書棚等に収納しやすく、複数のファイルの中から取り出したファイルを元の位置に入れやすい。また、本願第１発明のファイル用表紙およびファイルは、背表紙の左右で、背表紙から閉じ片先端縁までの長さが略同等の長さであるので、ファイルを開いて綴じ込み書類等を見る際の使い勝手が良い。
【００１３】
さらには、本願第１発明のファイル用表紙は、前記本願第１発明のファイル用表紙において、「前記表紙外面側折曲片部における先端縁と、前記表紙内面側折曲片部における先端縁とが繋がっていて、前記一対の表紙の各表紙、前記背表紙、前記表紙外面側折曲片部、前記表紙内面側折曲片部および前記閉じ片が、厚さが0.5ｍｍ以上2.0ｍｍ以下である一枚の硬質プラスチック板もしくは硬質紙から形成されていること」を特徴とする。
本願第１発明のファイル用表紙において、一枚の硬質プラスチック板もしくは硬質紙の厚さは、0.5ｍｍ以上2.0ｍｍ以下であり、0.5ｍｍ以上1.5ｍｍ以下が好ましく、0.7ｍｍ以上1.5ｍｍ以下がより好ましい。
本願第１発明のファイル用表紙において、前記表紙外面側折曲片部における先端縁と、前記表紙内面側折曲片部における先端縁とがヒンジ部を介して繋がっていることが好ましい。該ヒンジ部は、略Ｖ字状もしくは略Ｕ字状の切り込みによって形成されていることが好ましい。
【００１４】
このような構成によると、本願第１発明のファイル用表紙を一枚の硬質プラスチック板もしくは硬質紙から形成することができる。
【００１５】
さらには、本願第１発明のファイル用表紙は、前記本願第１発明のファイル用表紙において、「前記ヒンジ部の全てが略Ｖ字状もしくは略Ｕ字状の切り込みによって形成されており、該切り込みの全てが、一枚の硬質プラスチック板もしくは硬質紙の一方の面に施されて形成されていること」を特徴とする。
前記表紙外面側折曲片部における先端縁と、前記表紙内面側折曲片部における先端縁との間のヒンジ部も含めて全てヒンジ部が、略Ｖ字状もしくは略Ｕ字状の切り込みによって形成されており、該切り込みの全てが、一枚の硬質プラスチック板もしくは硬質紙の一方の面に施されて形成されていることが好ましい。
【００１６】
このような構成によると、ファイル用表紙を製造しやすいという利点がある。特には、切り込み作業の際に、一枚の硬質プラスチック板もしくは硬質紙を裏返すことなく、切り込みすることができるので、切り込み位置のずれの心配がなく、品質が良い。
【００１７】
前記本願第１発明のファイル用表紙において、硬質プラスチックは、ポリプロピレン樹脂または硬質塩化ビニル樹脂であることが好ましい。このような構成によると、ファイル用表紙の強度があり、特にポリプロピレン樹脂の場合は、ヒンジ部における繰り返しの折り曲げに対して耐久性がある。
【００１８】
さらには、本願第１発明のファイル用表紙は、前記本願第１発明のファイル用表紙において、「前記係止部オスが略く字状の切り込みであり、前記係止部メスが長穴であること」を特徴とする。
このような構成によると、係止部が形成しやすく他の部材を使用しないので製造コストを少なくできる。また他の部材を使用しないので係止部の強度があるという利点がある。
【００１９】
さらには、本願第１発明のファイル用表紙は、前記本願第１発明のファイル用表紙において、「係止部オスを有する閉じ片が該閉じ片の先端縁に、つまみ片を有していること」を特徴とする。
本願第１発明のファイル用表紙おいて、つまみ片と閉じ片と間にヒンジ部があり、折り曲げ自在であることが好ましい。
このような構成によると、つまみ片を引くと簡単に閉じ片同士の係止を外すことができて扱いやすい。
【００２０】
本願第２発明のファイルは、前記本願第１発明のファイル用表紙の背表紙の内側面、または前記一対の表紙の各表紙の少なくとも一方の内面に、綴じ具を取り付けたことを特徴とする。綴じ具は、特に限定されるものではないが、リング式綴じ具、パイプ式綴じ具、レバー式綴じ具、フラット式綴じ具、キャップ式綴じ具が例示される。
【００２１】
本願第３発明のファイル用表紙は、「一対の表紙と、両表紙の一側縁同士をつなぐ背表紙と、各表紙において前記一側縁とは逆の側縁（反対側の側縁）から折り曲げ自在に延出している閉じ片と、各閉じ片において閉じ片における表紙外面側の付け根から折り曲げ自在に延出している折曲片とを備えており、背表紙は、ヒンジ部を介して一対の表紙の各表紙と繋がっており、各閉じ片は、その幅（延出方向の長さ）が前記背表紙の幅と略同等であり、前記閉じ片の一方は係止部オスを有しており、他方の閉じ片は係止部メスを有しており、ヒンジ部を介して表紙と繋がっている表紙内面側閉じ片部と、該表紙内面側閉じ片部の表紙外面側に貼り合わされている表紙外面側閉じ片部とからなり、該表紙外面側閉じ片部がヒンジ部を介して折曲片と繋がっており、各折曲片は、その幅が5ｍｍ以上50ｍｍ以下であり、前記一対の表紙、前記背表紙、前記表紙内面側閉じ片部、前記表紙外面側閉じ片部および前記折曲片は、厚さが0.5ｍｍ以上2.0ｍｍ以下である硬質プラスチック製もしくは硬質紙製であること」を最も主要な特徴とする。
本願第３発明のファイル用表紙において、閉じ片における表紙外面側とは、閉じ片を表紙に対して折り曲げていない状態、すなわち閉じ片と表紙とが平面視略同一直線上にある状態（図２１参照）で、閉じ片における表紙外面側と同じ側を示す。また、本願第３発明のファイル用表紙において、表紙内面側閉じ片部、表紙外面側閉じ片部とは、それぞれ、閉じ片を表紙に対して折り曲げていない状態、すなわち閉じ片と表紙とが平面視略同一直線上にある状態（図２１参照）で、表紙内面側と同じ側の閉じ片の部位、表紙外面側と同じ側の閉じ片の部位を示す。
【００２２】
本願第３発明のファイル用表紙において、背表紙は、その幅が8ｍｍ以上200ｍｍ以下であることが好ましく、10ｍｍ以上200ｍｍ以下がより好ましく、さらに10ｍｍ以上150ｍｍ以下がより好ましく、さらには10ｍｍ以上100ｍｍ以下がより好ましい。
本願第３発明のファイル用表紙において、各折曲片の幅（延出方向の長さ）は5ｍｍ以上50ｍｍ以下であり、5ｍｍ以上30ｍｍ以下が好ましく、7ｍｍ以上30ｍｍ以下がより好ましい。また、前記一対の表紙、前記背表紙、前記表紙内面側閉じ片部、前記表紙外面側閉じ片部および前記折曲片の厚さは、0.5ｍｍ以上2.0ｍｍ以下であり、0.5ｍｍ以上1.5ｍｍ以下が好ましく、0.7ｍｍ以上1.5ｍｍ以下がより好ましい。
本願第３発明のファイル用表紙において、係止部オスおよび係止部メスは、その係止手段が限定されるものではないが、フック、スナップボタン、面ファスナーが例示される。フックとしては、係止部オスが閉じ片自体に略く字状の切り込みを入れて形成されたものであり、係止部メスが閉じ片自体に形成された長穴であることが好ましい。
本発明のファイル用表紙において、表紙内面側閉じ片部と表紙外面側閉じ片部との貼り合わせは、融着または接着によることが好ましい。
【００２３】
このような構成によると、一対の閉じ片同士が２重に重なって係止されるので、ファイル用表紙およびファイルは、分厚い書類等を綴じ込んだときでも、ファイルを閉じたときに剛性があって型崩れしにくく、さらには折曲片があるので、安定して自立することができる。また、本願第３発明のファイル用表紙およびファイルは、折曲片が折り曲げ自在であるので、書棚等に収納しやすく、複数のファイルの中から取り出したファイルを元の位置に入れやすい。また、本願第３発明のファイル用表紙およびファイルは、背表紙の左右で、背表紙から閉じ片先端縁までの長さが略同等の長さであるので、ファイルを開いて綴じ込み書類等を見る際の使い勝手が良い。
【００２４】
さらには、本願第３発明のファイル用表紙は、前記本願第３発明のファイル用表紙において、「前記表紙内面側閉じ片部における先端縁と、前記表紙外面側閉じ片部における先端縁とが繋がっていて、前記一対の表紙の各表紙、前記背表紙、前記表紙内面側閉じ片部、前記表紙外面側閉じ片部および前記折曲片が、厚さが0.5ｍｍ以上2.0ｍｍ以下である一枚の硬質プラスチック板もしくは硬質紙から形成されていること」を特徴とする。
本願第３発明のファイル用表紙において、一枚の硬質プラスチック板もしくは硬質紙の厚さは、0.5ｍｍ以上2.0ｍｍ以下であり、0.5ｍｍ以上1.5ｍｍ以下が好ましく、0.7ｍｍ以上1.5ｍｍ以下がより好ましい。
本願第３発明のファイル用表紙において、前記表紙内面側閉じ片部における先端縁と、前記表紙外面側閉じ片部における先端縁とがヒンジ部を介して繋がっていることが好ましい。該ヒンジ部は、略Ｖ字状もしくは略Ｕ字状の切り込みによって形成されていることが好ましい。
【００２５】
このような構成によると、本願第３発明のファイル用表紙を一枚の硬質プラスチック板もしくは硬質紙から形成することができる。
【００２６】
さらには、本願第３発明のファイル用表紙は、前記本願第３発明のファイル用表紙において、「前記ヒンジ部の全てが略Ｖ字状もしくは略Ｕ字状の切り込みによって形成されており、該切り込みの全てが、一枚の硬質プラスチック板もしくは硬質紙の一方の面に施されて形成されていること」を特徴とする。
【００２７】
このような構成によると、ファイル用表紙を製造しやすいという利点がある。特には、切り込み作業の際に、一枚の硬質プラスチック板もしくは硬質紙を裏返すことなく、切り込みすることができるので、切り込み位置のずれの心配がなく、品質が良い。
【００２８】
前記本願第３発明のファイル用表紙において、硬質プラスチックは、ポリプロピレン樹脂または硬質塩化ビニル樹脂であることが好ましい。このような構成によると、ファイル用表紙の強度があり、特にポリプロピレン樹脂の場合は、ヒンジ部における繰り返しの折り曲げに対して耐久性がある。
【００２９】
さらには、本願第３発明のファイル用表紙は、前記本発明のファイル用表紙において、「前記係止部オスが略く字状の切り込みであり、前記係止部メスが長穴であること」を特徴とする。
このような構成によると、係止部が形成しやすく他の部材を使用しないので製造コストを少なくできる。また他の部材を使用しないので係止部の強度があるという利点がある。
【００３０】
さらには、本願第３発明のファイル用表紙は、前記本願第３発明のファイル用表紙において、「係止部オスを有する閉じ片が該閉じ片の先端縁に、つまみ片を有していること」を特徴とする。
本願第３発明のファイル用表紙おいて、つまみ片と閉じ片と間にヒンジ部があり、折り曲げ自在であることが好ましい。
このような構成によると、つまみ片を引くと簡単に閉じ片同士の係止を外すことができて扱いやすい。
【００３１】
本願第４発明のファイルは、前記本願第３発明のファイル用表紙の背表紙の内側面、または前記一対の表紙の各表紙の少なくとも一方の内面に、綴じ具を取り付けたことを特徴とする。綴じ具は、特に限定されるものではないが、リング式綴じ具、パイプ式綴じ具、レバー式綴じ具、フラット式綴じ具、キャップ式綴じ具が例示される。
【発明の効果】
【００３２】
本願第１発明、第３発明のファイル用表紙および本願第２発明、第４発明のファイルは、分厚い書類等を綴じ込んだときでも、ファイルを閉じたときに剛性があって型崩れしにくく、安定して自立することができる。また、本願第１発明、第３発明のファイル用表紙および本願第２発明、第４発明のファイルは、折曲片は折り曲げ自在であるので、書棚等に収納しやすく、複数のファイルの中から取り出したファイルを元の位置に入れやすい。また、本願第１発明、第３発明のファイル用表紙および本願第２発明、第４発明のファイルは、背表紙の左右で、背表紙から閉じ片先端縁までの長さが略同等の長さであるので、ファイルを開いて綴じ込んだ書類等を見る際の使い勝手が良い。
本願第１発明、第３発明のファイル用表紙は、一枚の硬質プラスチック板もしくは硬質紙から形成することができ、一方の面から切り込みを入れてヒンジを形成することができるので、製造しやすく、切り込み位置のずれの心配がなく、品質が良い。
本願第１発明、第３発明のファイル用表紙は、硬質プラスチック製であり、硬質プラスチックがポリプロピレン樹脂または硬質塩化ビニル樹脂であるので、強度があり、特にポリプロピレン樹脂製の場合は、ヒンジ部における繰り返しの折り曲げに対して耐久性がある。
本願第１発明、第３発明のファイル用表紙は、係止部オスが略く字状の切り込みであり、前記係止部メスが長穴であるので、係止部が形成しやすく他の部材を使用しないので製造コストを少なくでき、他の部材を使用しないので係止部の強度がある。
本願第１発明、第３発明のファイル用表紙は、係止部オスを有する閉じ片が該閉じ片の端縁に、つまみ片を有しているので、つまみ片を引くと簡単に閉じ片同士の係止を外すことができて扱いやすい。
本願第２発明、第４発明のファイルは、前記本願第１発明、第３発明のファイル用表紙を使用するので、上記本願第１発明、第３発明のファイル用表紙の効果と同等の効果を有する。
【図面の簡単な説明】
【００３３】
【図１】図１は、本願第１発明の第１実施形態であるファイル用表紙であって、各折曲片が各表紙に対して９０度折り曲がっている状態の斜視図である。
【図２】図２は、図１のファイル用表紙の平面図である。
【図３】図３は、図２のＥ−Ｅ’部分拡大図である。
【図４】図４は、本願第１発明の第１実施形態であるファイル用表紙であって、各折曲片が各表紙に対して折り曲がっていない状態の斜視図である。
【図５】図５は、本願第１発明の第１実施形態であるファイル用表紙を開いた状態の斜視図である。
【図６】図６は、本願第１発明の第２実施形態であるファイル用表紙であって、各折曲片が各表紙に対して９０度折り曲がっている状態の斜視図である。
【図７】図７は、図６のファイル用表紙の平面図である。
【図８】図８は、図７のＥ−Ｅ’部分拡大図である。
【図９】図９は、本願第１発明の第２実施形態であるファイル用表紙であって、各折曲片が各表紙に対して折り曲がっていない状態の斜視図である。
【図１０】図１０は、本願第１発明の第２実施形態であるファイル用表紙を開いた状態の斜視図である。
【図１１】図１１は、本願第３発明の第１実施形態であるファイル用表紙であって、各折曲片が各表紙に対して９０度折り曲がっている状態の斜視図である。
【図１２】図１２は、図１１のファイル用表紙の平面図である。
【図１３】図１３は、図１２のＥ−Ｅ’部分拡大図である。
【図１４】図１４は、本願第３発明の第１実施形態であるファイル用表紙であって、各折曲片が各表紙に対して折り曲がっていない状態の斜視図である。
【図１５】図１５は、本願第３発明の第１実施形態であるファイル用表紙を開いた状態の斜視図である。
【図１６】図１６は、本願第３発明の第２実施形態であるファイル用表紙であって、各折曲片が各表紙に対して９０度折り曲がっている状態の斜視図である。
【図１７】図１７は、図１６のファイル用表紙の平面図である。
【図１８】図１８は、図１７のＥ−Ｅ’部分拡大図である。
【図１９】図１９は、本願第３発明の第２実施形態であるファイル用表紙であって、各折曲片が各表紙に対して折り曲がっていない状態の斜視図である。
【図２０】図２０は、本願第３発明の第２実施形態であるファイル用表紙を開いた状態の斜視図である。
【図２１】図２１は、本願第３発明の第２実施形態であるファイル用表紙であって、各閉じ片が各表紙に対して折り曲がっていない状態の斜視図である。
【発明を実施するための形態】
【００３４】
本願第１発明、第３発明のファイル用表紙および本願第２発明、第４発明のファイルについて、各実施形態を示した図を用いて詳細に説明する。
【００３５】
本願第１発明の第１実施形態であるファイル用表紙について、以下に詳細に説明する。図１は、本願第１発明の第１実施形態であるファイル用表紙の斜視図である。なお、図１では、各折曲片が各表紙に対して９０度折り曲がっている状態である。図２は、図１のファイル用表紙の平面図である。図３は、図２のＥ−Ｅ’部分拡大図である。図４は、本願第１発明の第１実施形態であるファイル用表紙の斜視図である。なお、図４では、各折曲片が各表紙に対して折り曲がっていない状態である。図５は、本願第１発明の第１実施形態であるファイル用表紙を開いた状態の斜視図である。
【００３６】
本願第１発明の第１実施形態であるファイル用表紙は、一対の表紙（１，１’）と、両表紙の一側縁（１２，１２’）同士をつなぐ背表紙２と、各表紙（１，１’）において前記一側縁（１２，１２’）とは逆の側縁（１３，１３’）から折り曲げ自在に延出している折曲片（３，３’）と、各折曲片（３，３’）において折曲片（３，３’）における表紙内面側の付け根（３４，３４’）から折り曲げ自在に延出している閉じ片（４，４’）とを備えている。
背表紙２は、その幅が8ｍｍ以上200ｍｍ以下であり、ヒンジ部（１２，１２’）を介して一対の表紙（１，１’）の各表紙（１，１’）と繋がっている。
各折曲片（３，３’）は、その幅が5ｍｍ以上50ｍｍ以下であり、ヒンジ部（１３，１３’）を介して表紙（１，１’）と繋がっている表紙外面側折曲片部（３ａ，３ａ’）と、該表紙外面側折曲片部（３ａ，３ａ’）の表紙内面側に貼り合わされている表紙内面側折曲片部（３ｂ，３ｂ’）とからなり、該表紙内面側折曲片部（３ｂ，３ｂ’）がヒンジ部（３４，３４’）を介して閉じ片（４，４’）と繋がっている（図３参照）。なお、表紙外面側は１ａ、１ａ’であり、表紙内面側は、１ｂ、１ｂ’である。
前記一対の表紙（１，１’）、前記背表紙２、前記表紙外面側折曲片部（３ａ，３ａ’）、前記表紙内側面側折曲片部（３ｂ，３ｂ’）および前記閉じ片（４，４’）は、厚さが0.5ｍｍ以上2.0ｍｍ以下である硬質プラスチックであるポリプロピレン樹脂製である。
前記各閉じ片（４，４’）は、その幅が前記背表紙２の幅と略同等であり、前記閉じ片の一方４’は略く字状の切り込みである係止部オス５を有しており、他方の閉じ片４は長穴である係止部メス６を有している。
さらには、係止部オス５を有する閉じ片４’はその先端縁に、つまみ片７を有している。このようなつまみ片７を有することで、つまみ片を引くと簡単に閉じ片同士（４，４’）の係止を外すことができる。
【００３７】
本願第１発明の第２実施形態であるファイル用表紙について、以下に詳細に説明する。図６は、本願第１発明の第２実施形態であるファイル用表紙の斜視図である。なお、図６では、各折曲片が各表紙に対して９０度折り曲がっている状態である。図７は、図６のファイル用表紙の平面図である。図８は、図７のＥ−Ｅ’部分拡大図である。図９は、本願第１発明の第２実施形態であるファイル用表紙の斜視図である。なお、図９では、各折曲片が各表紙に対して折り曲がっていない状態である。図１０は、本願第１発明の第２実施形態であるファイル用表紙を開いた状態の斜視図である。
【００３８】
本願第１発明の第２実施形態であるファイル用表紙は、本願第１発明の第１実施形態であるファイル用表紙において、前記表紙外面側折曲片部（３ａ，３ａ’）における先端縁（３ａｅ，３ａｅ’）と、前記表紙内面側折曲片部（３ｂ，３ｂ’）における先端縁（３ｂｅ，３ｂｅ’）とがそれぞれ繋がっている（図８参照）。
前記一対の表紙の各表紙（１，１’）、前記背表紙２、前記表紙外面側折曲片部（３ａ，３ａ’）、前記表紙内面側折曲片部（３ｂ，３ｂ’）および前記閉じ片（４，４’）が、厚さが0.5ｍｍ以上2.0ｍｍ以下である一枚の硬質プラスチック板もしくは硬質紙から形成されている。
前記ヒンジ部の全て（１２，１２’，１３，１３’，３４，３４’）が略Ｖ字状の切り込みによって形成されており、該切り込みの全てが、一枚のポリプロピレン樹脂製の板の一方の面に施されて形成されている。
【００３９】
本願第２発明のファイルの一実施形態は、上記本願第１発明の第１実施形態もしくは第２実施形態であるファイル用表紙の背表紙２の内側面、または前記一対の表紙（１，１’）の各表紙の少なくとも一方の内面に、綴じ具を取り付けたものである。
【００４０】
本願第３発明の第１実施形態であるファイル用表紙について、以下に詳細に説明する。図１１は、本願第３発明の第１実施形態であるファイル用表紙の斜視図である。なお、図１１では、各折曲片が各表紙に対して９０度折り曲がっている状態である。図１２は、図１１のファイル用表紙の平面図である。図１３は、図１２のＥ−Ｅ’部分拡大図である。図１４は、本願第３発明の第１実施形態であるファイル用表紙の斜視図である。なお、図１４では、各折曲片が各表紙に対して折り曲がっていない状態である。図１５は、本願第３発明の第１実施形態であるファイル用表紙を開いた状態の斜視図である。
【００４１】
本願第３発明の第１実施形態であるファイル用表紙は、一対の表紙（１，１’）と、両表紙の一側縁同士（１２，１２’）をつなぐ背表紙と、各表紙において前記一側縁とは逆の側縁（１４，１４’）から折り曲げ自在に延出している閉じ片（４，４’）と、各閉じ片（４，４’）において閉じ片（４，４’）における表紙外面側の付け根（４３，４３’）から折り曲げ自在に延出している折曲片（３，３’）とを備えている。
背表紙２は、ヒンジ部（１２，１２’）を介して一対の表紙（１，１’）の各表紙（１，１’）と繋がっており、
各閉じ片（４，４’）は、その幅が前記背表紙２の幅と略同等であり、前記閉じ片の一方４’は係止部オス５を有しており、他方の閉じ片４は係止部メス６を有しており、ヒンジ部（１４，１４’）を介して表紙（１，１’）と繋がっている表紙内面側閉じ片部（４ａ，４ａ’）と、該表紙内面側閉じ片部（４ａ，４ａ’）の表紙外面側に貼り合わされている表紙外面側閉じ片部（４ｂ，４ｂ’）とからなり、該表紙外面側閉じ片部（４ｂ，４ｂ’）がヒンジ部（４３，４３’）を介して折曲片（３，３’）と繋がっている。（図１３参照）。なお、表紙外面側は１ａ、１ａ’であり、表紙内面側は、１ｂ、１ｂ’である。
各折曲片（３，３’）は、その幅が5ｍｍ以上50ｍｍ以下である。
前記一対の表紙（１，１’）、前記背表紙２、前記表紙内面側閉じ片部（４ａ，４ａ’）、前記表紙外面側閉じ片部（４ｂ，４ｂ’）および前記折曲片（３，３’）は、厚さが0.5ｍｍ以上2.0ｍｍ以下である硬質プラスチック製もしくは硬質紙製である。
さらには、係止部オス５を有する閉じ片４’はその先端縁に、つまみ片７を有している。このようなつまみ片７を有することで、つまみ片を引くと簡単に閉じ片同士（４，４’）の係止を外すことができる。
【００４２】
本願第３発明の第２実施形態であるファイル用表紙について、以下に詳細に説明する。図１６は、本願第３発明の第２実施形態であるファイル用表紙の斜視図である。なお、図１６では、各折曲片が各表紙に対して９０度折り曲がっている状態である。図１７は、図１６のファイル用表紙の平面図である。図１８は、図１７のＥ−Ｅ’部分拡大図である。図１９は、本願第３発明の第２実施形態であるファイル用表紙の斜視図である。なお、図１９では、各折曲片が各表紙に対して折り曲がっていない状態である。図２０は、本願第３発明の第２実施形態であるファイル用表紙を開いた状態の斜視図である。図２１は、本願第３発明の第２実施形態であるファイル用表紙であって、各閉じ片が各表紙に対して折り曲がっていない状態の斜視図である。
【００４３】
本願第３発明の第２実施形態であるファイル用表紙は、本願第３発明の第１実施形態であるファイル用表紙において、前記表紙内面側閉じ片部（４ａ，４ａ’）における先端縁（４ａｅ，４ａｅ’）と、前記表紙外面側閉じ片部（４ｂ，４ｂ’）における先端縁（４ｂｅ，４ｂｅ’）とがそれぞれ繋がっている（図１８参照）。
前記一対の表紙の各表紙（１，１’）、前記背表紙２、前記表紙内面側閉じ片部（４ａ，４ａ’）、前記表紙外面側閉じ片部（４ｂ，４ｂ’）および前記折曲片（３，３’）が、厚さが0.5ｍｍ以上2.0ｍｍ以下である一枚の硬質プラスチック板もしくは硬質紙から形成されている。
前記ヒンジ部の全て（１２，１２’，１４，１４’，４３，４３’）が略Ｖ字状の切り込みによって形成されている。
【００４４】
本願第４発明のファイルの一実施形態は、上記本願第３発明の第１実施形態もしくは第２実施形態であるファイル用表紙の背表紙２の内側面、または前記一対の表紙（１，１’）の各表紙の少なくとも一方の内面に、綴じ具を取り付けたものである。
【産業上の利用可能性】
【００４５】
本願第１発明、第３発明のファイル用表紙は、書類、パンフレット、冊子、雑誌等を綴じて、机上面や棚板面等に安定して自立することができるファイルを製造するのに有用である。本願第２発明、第４発明のファイルは、書類、パンフレット、冊子、雑誌等を綴じて、机上面や棚板面等に安定して自立させるのに有用である。
【符号の説明】
【００４６】
１        表紙
１’      表紙
１ａ      表紙１の外面
１ａ’    表紙１’の外面
１ｂ      表紙１の内面
１ｂ’    表紙１’の内面
１２      両表紙の一側縁（表紙１と背表紙２との間のヒンジ部）
１２’    両表紙の一側縁（表紙１’と背表紙２’との間のヒンジ部）
１３      表紙１における一側縁１２とは逆の側縁（表紙１と表紙外面側折曲片部３ａとの間のヒンジ部）
１３’    表紙１’における一側縁１２’とは逆の側縁（表紙１’と表紙外面側折曲片部３ａ’との間のヒンジ部）
１４      表紙１における一側縁１２とは逆の側縁（表紙１と表紙内面側閉じ片部４ａとの間のヒンジ部）
１４’    表紙１’における一側縁１２’とは逆の側縁（表紙１’と表紙内面側閉じ片部４ａ’との間のヒンジ部）
２        背表紙
３        折曲片
３’      折曲片
３ａ      表紙外面側の折曲片部
３ａ’    表紙外面側の折曲片部
３ｂ      表紙内面側の折曲片部
３ｂ’    表紙内面側の折曲片部
３ａｅ    表紙外面側の折曲片部３ａにおける先端縁
３ａｅ’  表紙外面側の折曲片部３ａ’における先端縁
３ｂｅ    表紙内面側の折曲片部３ｂにおける先端縁
３ｂｅ’  表紙内面側の折曲片部３ｂ’における先端縁
３４      折曲片３における表紙内面側の付け根（表紙内面側の折曲片部３ｂと閉じ片４との間のヒンジ部）
３４’    折曲片３’における表紙内面側の付け根（表紙内面側の折曲片部３ｂ’と閉じ片４’との間のヒンジ部）
４        閉じ片
４’      閉じ片
４ａ      表紙内面側の閉じ片部
４ａ’    表紙内面側の閉じ片部
４ｂ      表紙外面側の閉じ片部
４ｂ’    表紙外面側の閉じ片部
４ａｅ    表紙内面側の閉じ片部における先端縁
４ａｅ’  表紙内面側の閉じ片部における先端縁
４ｂｅ    表紙外面側の閉じ片部における先端縁
４ｂｅ’  表紙外面側の閉じ片部における先端縁
４３      閉じ片４における表紙外面側の付け根（表紙外面側の閉じ片部４ｂと折曲片３との間のヒンジ部）
４３’    閉じ片４’における表紙外内面側の付け根（表紙外面側の閉じ片部４ｂ’と折曲片３’との間のヒンジ部）
５        係止部オス
６        係止部メス
７        つまみ片
【図１】
2012076406.tif 000003
【図２】
2012076406.tif 000004
【図３】
2012076406.tif 000005
【図４】
2012076406.tif 000006
【図５】
2012076406.tif 000007
【図６】
2012076406.tif 000008
【図７】
2012076406.tif 000009
【図８】
2012076406.tif 000010
【図９】
2012076406.tif 000011
【図１０】
2012076406.tif 000012
【図１１】
2012076406.tif 000013
【図１２】
2012076406.tif 000014
【図１３】
2012076406.tif 000015
【図１４】
2012076406.tif 000016
【図１５】
2012076406.tif 000017
【図１６】
2012076406.tif 000018
【図１７】
2012076406.tif 000019
【図１８】
2012076406.tif 000020
【図１９】
2012076406.tif 000021
【図２０】
2012076406.tif 000022
【図２１】
2012076406.tif 000023